(57)【特許請求の範囲】
【請求項１】
前方が開口したボックスと、該ボックスに取り付けされボックス前方側を覆うカバーとからなるキャビネット内部に、中底に取付けられた分岐開閉器が配設される分電盤であって、
前記分岐開閉器には、前記中底に設けられた係止部に係止されることにより分岐開閉器を取付固定する一方、
前記係止部との係止が解かれることにより取付を解除するロックレバーが設けられ、
該ロックレバーが、取付解除位置にある状態においては前記ボックスにカバーを取付ける際に前記カバーの背面と当接することにより、
前記ロックレバーが取付解除位置から取付固定位置に変位することを特徴とする分電盤。
【請求項２】
前記ロックレバーは、
前記取付解除位置と取付固定位置との間を摺動自在に設けられ、
前記カバーを前記ボックスに取り付ける際にボックスの方向にカバーが押圧されることにより、
取付解除位置にある前記ロックレバーが、前記カバーの背面と当接して、
取付固定位置に摺動移動することを特徴とする請求項１記載の分電盤。
【請求項３】
前記カバーを前記ボックスに取り付けたときにおける前記カバーの背面側と前記ロックレバーとの間隔は、
前記ロックレバーが前記取付解除位置と取付固定位置との間で摺動変位する変位量よりも小さく設けられたことを特徴とする請求項２記載の分電盤。
【発明の詳細な説明】
【技術分野】
【０００１】
本発明は、分電盤に組み込まれる回路遮断器の中底への取付に関し、特に、中底への回路遮断器の取付固定忘れを極力防止することができる取付構造に関する。
【背景技術】
【０００２】
分電盤は、キャビネットの内部に、主開閉器、該主開閉器の二次側に接続される母線、該母線と各々接続される分岐開閉器などの内部機器を組み込んだもので、住宅等における電路の引込口装置として用いられている。住宅の場合、適用される電路は、通常、交流５０Ｈｚ又は６０Ｈｚの単相２線式電路（１００Ｖ）、もしくは単相３線式電路（１００／２００Ｖ）である。
【０００３】
前記キャビネットは、分電盤の外郭を構成するもので、一般的に、前記内部機器を取付ける中底を取付け固定し、分電盤の上下左右の側面及び背面を覆う壁を形成するボックスと、内部機器の操作面側に臨む前面側を覆うよう前記ボックス前面側に設けられるカバーとを備えて構成される。
【０００４】
斯様な分電盤に組み込まれる主開閉器や分岐開閉器など回路遮断器等の内部機器は、該内部機器本体を中底に取り付けた状態で用いられ、回路遮断器に、取付固定、又は取付解除を行う取付固定解除手段が設けられている。特許文献１の図１には、回路遮断器を中底である取付板に対して取り付け、取り外しする構造が示されている。
【０００５】
この構造によれば、次のように取付板に対して回路遮断器の取り付け取り外しを行う。回路遮断器１の中底への取付固定解除手段であるロックレバー７の係止部７０３が回路遮断器底面より突出しない状態にしておき、取付板の突出部ａ９、突出部ｂ１０の間に遮断器がくるように、また４の爪部ｂが遮断器の６の凹部ｂの開口部にくるように取付板の上に載置する。この時点では爪部３、４と遮断器の凹部５、６はかみ合っていない。次に回路遮断器１を母線１１、１２の方向にスライドさせていくと母線１１、１２がプラグイン端子金具１５、１６に差し込まれていき、取付板に設けられた爪部３及び爪部４がそれぞれ回路遮断器の凹部５、凹部６と嵌合する。なお、ロックレバー７は枠部７０１内を図の上端部と下端部に選択的に指掛部７０２をもって操作でき、それにより係止部７０３が底面から突出したり突出しなかったりするものである。
【０００６】
この状態では、回路遮断器は特許文献１の図１の上方向（取付板に対する鉛直方向）と側面方向の動きが規制されるが、回路遮断器は母線１１，１２から遠い方向（遮断器の負荷側方向）へは取り外し可能である。
【０００７】
次にロックレバー７の指掛部７０２を指で取付板の方向に押圧すると、係止部７０３が回路遮断器の底面より突出し、取付板の嵌合部８に嵌合する。これにより母線から回路遮断器を取り外す方向の動きを規制することができ、取付板２に回路遮断器１が取り付けが完了した状態となる。
【０００８】
回路遮断器１を取付板２から取り外す場合は、ロックレバー７の指掛部７０２を取付板と反対の方向に指で引き上げ、嵌合部８とロックレバー７の係止部７０３との嵌合を解除する。次に回路遮断器１を母線１１、１２と反対の方向に引き抜くように移動させることにより、爪部３、及び爪部４と凹部５及び凹部６との嵌合が外れる。この状態で回路遮断器１を取付板から持ち上げると取付板２から取り外すことができる。
【０００９】
このような回路遮断器の取り付け構造においては、プラグインタイプの回路遮断器１を分電盤に設けられた取付板２に取り付けるために、取付板２と鉛直な方向の動きを規制する爪部３及び爪部４を取付板２に設けるとともに前記爪部３、４とそれぞれ対応する凹部５、及び凹部６を回路遮断器１に設け、取付板２に設けられた母線１１、１２から回路遮断器１を取り外す方向の動きを規制するロックレバー７を回路遮断器１に設けるとともに取付板２には前記ロックレバー７の係止部７０３が嵌合する嵌合部８を設けたものである。プラグインタイプの回路遮断器を取付板と平行にスライドさせながら取り付けることが可能となり、分電盤内に電線を引き回す場合にもロックレバー７の指掛部は回路遮断器の負荷側側面からわずかしか突出していないため電線被覆を傷付ける恐れがないものである。また、回路遮断器の取り外しに工具を用いる必要がなく、工具を携帯しておく必要性もない取付構造を提供するものである。
【先行技術文献】
【特許文献】
【００１０】
【特許文献１】特開２００２−１５０９１１号公報
【発明の概要】
【発明が解決しようとする課題】
【００１１】
ところで、昨今では、製品安全に対する取り組みが従来に増して重要視されてきている。回路遮断器並びに回路遮断器を組み込む分電盤にあっては、電力会社から供給される電気を各分岐回路に供給する役割を持っている一方、回路遮断器は配線を電気事故から保護する保安の役割も持っており、使用に当たっては正しく分電盤に取り付けられた状態で使用される必要がある。
【００１２】
分電盤における取付板に回路遮断器が正しく取り付けられているか否かを確認する場合、分電盤を構成する前面側のカバーを開き、回路遮断器と母線との接触状態を確認する。回路遮断器の並び具合が適正に配置されているか否かを目視確認することに加え、前述のロックレバーが取付板の方向に適正に押下げられた状態であるか否かを目視確認する。
【００１３】
しかしながら、ロックレバーは回路遮断器の底面近く中底近傍に位置し、回路遮断器における電線差込孔よりも底面側に位置するものであるから、ロックレバーの押し下げ状態を確認する場合には、工場出荷前にあっては、分電盤において取付板が載置されるケース内部を覗き込むようにして順次目視確認していく必要があり確認作業に時間を要していた。
【００１４】
また、分電盤を施工する現場にあっては、回路遮断器に電線を配線する前に確認する場合には同じくケース内部を覗き込むようにして目視確認していくが、電線を配線した後に再び確認する場合には、配線した電線が、ロックレバーの押し下げ状態をを目視確認するための妨げとなり、電線を避けながら確認作業を行うこととなり、確認作業が行いにくく、ロックレバーの状態が適正でない場合、即ち回路遮断器の使用状態が適正でない場合には、電線を掻き分けたうえでロックレバーにアクセスし、ロックレバーを取付板に押下げる操作が必要となる。このため、取り付け確認作業や修正作業に時間を要するものとなっていた。
【００１５】
分電盤の施工現場などにおいて、回路遮断器を増設したり、定格電圧が異なるものに取り替えたりしたときに、万一ロックレバーを押下げし忘れた場合、回路遮断器は、取付板と鉛直な方向の位置の規制は行われるが、電源側端子から負荷側端子方向への抜け止めの規制が行われず、回路遮断器は母線からの抜け止めが解除された状態となり、母線から外れるおそれがある。
【００１６】
取替工事を行った後は確認作業を行うが、万一ロックレバーが押下げられない状態で、そのまま負荷側端子に電線を接続して使用を開始してしまうと、経年的な使用や振動等に伴い、回路遮断器が母線から外れて、若しくは外れかけて、母線と端子の接触不良や端子部の異常発熱の発生、また、停電の発生など、種々の電気的な不良が発生するおそれがある。
【００１７】
そこで、本発明は、上記課題に鑑みてなされたもので、分電盤の施工時や回路遮断器の交換などを行った場合に、万一取付固定解除手段であるロックレバーの位置が取付固定位置にない場合においても、最終的に分電盤のカバーをボックスに取り付けることにより、ロックレバーを取付固定位置に変位せしめ、回路遮断器を中底に確実に取付固定できる分電盤を提供すること、また、取付固定位置に変位せしめた状態を継続的に維持することができる分電盤を提供することを目的とする。
【課題を解決するための手段】
【００１８】
本発明に係る分電盤は、上述の課題を解決すべく構成されたもので、前方が開口したボックスと、該ボックスに取り付けされボックス前方側を覆うカバーとからなるキャビネット内部に、中底に取付けられた分岐開閉器が配設される分電盤であって、
前記分岐開閉器には、前記中底に設けられた係止部に係止されることにより分岐開閉器を取付固定する一方、
前記係止部との係止が解かれることにより取付を解除するロックレバーが設けられ、
該ロックレバーが、取付解除位置にある状態においては前記ボックスにカバーを取付ける際に前記カバーの背面と当接することにより、
前記ロックレバーが取付解除位置から取付固定位置に変位することを特徴として分電盤を構成するとよい。
【００１９】
かかる構成によれば、取付固定解除手段であるロックレバーが取付固定位置にない場合においても、カバーの背面とロックレバーが当接することにより、前記ロックレバーが取付解除位置から取付固定位置に変位するから、回路遮断器を中底に確実に取付固定できる。
【００２０】
また、本発明に係る分電盤は、前記ロックレバーは、
前記取付解除位置と取付固定位置との間を摺動自在に設けられ、
前記カバーを前記ボックスに取り付ける際にボックスの方向にカバーが押圧されることにより、
取付解除位置にある前記ロックレバーが、前記カバーの背面と当接して、
取付固定位置に摺動移動することを特徴として回路遮断器の安全装置を構成するとよい。
【００２１】
かかる構成によれば、カバーをボックスに取付ける際にカバーをボックスの方向に押し付ける力を受けて、前記ロックレバーが、前記カバーの背面と当接して、取付固定位置に摺動変位するから、ロックレバーを取付固定位置にセットし忘れた場合においても、分電盤の使用にあたり、カバーをボックスに取付ける作業を行うことにより、自動的にロックレバーが取付固定位置に変位し、回路遮断器を中底に確実に取付固定できる。
【００２２】
また、本発明に係る分電盤は、前記カバーを前記ボックスに取り付けたときにおける前記カバーの背面側と前記ロックレバーとの間隔は、
前記ロックレバーが前記取付解除位置と取付固定位置との間で摺動変位する変位量よりも小さく設けられたことを特徴として回路遮断器の安全装置を構成するとよい。
【００２３】
かかる構成によれば、カバーをボックスに取付けた後において、経年的な使用や振動等に伴いロックレバーが取付固定位置から取付解除位置に変位することを規制し、回路遮断器を中底に確実に取付固定した状態を経年的に維持することができる。
【発明の効果】
【００２４】
以上の如く、本発明によれば、分電盤の施工時や回路遮断器の交換などを行った場合に、万一取付固定解除手段であるロックレバーの位置が取付固定位置にない場合においても、分電盤のカバーをボックスに取り付けることにより、ロックレバーを取付固定位置に変位せしめ、回路遮断器を中底に確実に取付固定できる分電盤を提供することができる。また、分電盤の使用にあたり、取付固定位置に変位せしめた状態を継続的に維持することができる分電盤を提供することができる。
【図面の簡単な説明】
【００２５】
【図１】本発明の実施形態を示す斜視図を示す。
【図２】本発明の回路遮断器を背面側からみた図を示す。
【図３】本発明の回路遮断器を底面側からみた図を示す。
【図４】本発明の回路遮断器の要部断面図を示す。
【図５】ロックレバーが取付解除位置にある場合の状態図を示す。
【図６】本発明の分電盤のカバーを閉めるときの要部断面図を示す。
【図７】本発明の分電盤のカバーを閉めるときの斜視図を示す。
【図８】本発明の分電盤のカバーを閉めたときの斜視図を示す。
【図９】本発明の分電盤のカバーを閉めたときの要部断面図を示す。
【発明を実施するための形態】
【００２６】
次に本発明の好ましい実施形態を住宅用分電盤に取り付けられる分岐開閉器の取付構造により詳細に説明する。
【００２７】
（第一の実施形態）
第１の実施形態に係る分電盤２１は、単相３線式の商用電路に用いられるものである。該分電盤は、キャビネットの内部に、電流制限器、主開閉器、該主開閉器の二次側において接続部材を介して接続される母線、該母線と各々接続される分岐開閉器１等の内部機器を収納するものであり、これら内部機器は中底に取付けられて、キャビネットに固定取付けされる。
【００２８】
前記キャビネットは、分電盤２１の外郭を構成する。前記キャビネットは、前記内部機器を取付ける中底が取付け固定され分電盤の上下左右の側面及び背面を覆う壁を形成するボックス２０１と、内部機器の操作面側に臨む前面側を覆うよう前記ボックス２１１前面側に設けられるカバー２１２とを備えて構成される。また、ドアを備えた分電盤にあっては、前記カバー２１２の前面側に、ドアが閉まった状態で前記カバー２１２の前面を覆うように、ヒンジ構造を有して開閉できるよう設けられたドアが備えられている。
【００２９】
図１は、分岐開閉器としての回路遮断器１と、該回路遮断器１が取り付けられる取付板２と各相の母線、絶縁壁などを備えた内器ユニットとを示した図である。
【００３０】
回路遮断器１の電源側端子側を正面側、負荷側端子側を背面側、操作ハンドル１０３が設けられた側を前面側、後述する取付板に取り付けられる側を底面側として説明を行う。
【００３１】
回路遮断器１は、本体外殻が長手方向に分割構成される筐体１０１、１０２により形成される。該回路遮断器１は、電源と接続される電源側接続端子、該電源接続端子と接続される接点、該接点を開閉する接点開閉機構、異常電流が発生したときには接点開閉機構に作用して回路を切動作させる自動遮断機構、負荷側回路に電源を供給する負荷側接続端子等が筐体の内部に設けられ、前記接点開閉機構を筐体の外部から入切操作する操作ハンドル１０３が筐体の前面側に設けられている。負荷側には負荷側端子に電線を接続するための電線挿入孔が設けられている。電源側接続端子はプラグインタイプの端子を用い、負荷側接続端子は鎖錠接続端子を用いて構成している。また負荷側には、中底である取付板に設けられた係止部に係止されるロックレバー１０４が設けられている。
【００３２】
前記ロックレバー１０４は、外部つまみ１０４２により回路遮断器１の底面から突出する、しないを択一的に選択できるよう設けられており、回路遮断器１の底面側から前面側にかけて連なる略棒状に形成されている。
【００３３】
また、中底である取付板は、回路遮断器等の内部機器や該内部機器に電力を供給する母線２０１、２０２、２０３が取り付けられるものである。
【００３４】
取付板２には、回路遮断器１を取り付けたときに回路遮断器と作用し合い、回路遮断器の前面側−底面側の中底方向の動きを規制する第一の規制部２０４、２０５と、正面側−背面側の方向の動きを規制する第二の規制部２０６とが設けられている。
【００３５】
第一の規制部２０４は、取付板２の一部を切り起こして形成したものであり、端部が係合片となっている。回路遮断器１側には、図３に示したように回路遮断器１の底面に前記第一の規制部が嵌り込む凹部１０７と、凹部の底面側に設けられて前記係合片と作用し合う係合片１０８が設けられている。回路遮断器１の取付板２への取り付け時に、夫々の係合片が係合することにより、回路遮断器の背面側において前面側−底面側の方向の動きが規制される。
【００３６】
また、第一の規制部２０５は、取付板に突出形成したものであり、回路遮断器１の正面側に形成された前記第二の規制部２０５の突出部が嵌り込む凹部（図示しない）と嵌合しあう。これら突出部と凹部が係合することにより、回路遮断器の正面側において前面側−底面側の方向の動きが規制される。このように回路遮断器の正面側と背面側の両方において前面側−底面側の方向の動きを規制するため、より確実に取付板に固定することができる。
【００３７】
次に、第二の規制部２０６は、取付板２の一部を凹状に曲げ加工して凹部により係止部を形成したものである。回路遮断器１の背面側には、回路遮断器１の底面から突出する、しないを外部つまみ１０４２により択一的に選択するロックレバー１０４が設けられており、回路遮断器１の底面から突出したロックレバーの係止部１０４１が前記第二の規制部２０６の凹部に嵌り込み、互いに嵌合することにより、回路遮断器の正面側−背面側の方向の動きが規制される。
【００３８】
取付板２に回路遮断器１を取り付けるときには、回路遮断器１を取付板２の上で母線の方向にスライドさせていくことにより、母線が電源側端子に差し込まれていくと同時に、前記第一の規制部２０４、２０５が回路遮断器１の係合片１０８、前記凹部と係合することにより、取付板２上の適正な位置に回路遮断器１が載置される。そして、前記ロックレバー１０４の外部つまみ１０４２を取付板２の方向に押下げることにより、回路遮断器１の底面からロックレバーの係止部１０４１が突出して取付板２の凹部２０６と嵌合し、取り付けが完了する。
【００３９】
取付板２から回路遮断器１を取り外すときには、前記ロックレバー１０４の外部つまみ１０４２を取付板と反対の方向（回路遮断器１の前面側）に引き上げて、ロックレバーの係止部１０４１を底面から突出しない状態にし、回路遮断器１を背面側に引き抜くように移動させることにより、前記第一の規制部１０４、２０５と回路遮断器との係合が外れると同時に母線と接続端子の接続が解かれ、取り外しが完了する。
【００４０】
また、図４に示されたように、ロックレバー１０４には、該ロックレバー１０４の回路遮断器１の底面から突出する位置、しない位置が択一的に決まるよう、弾性的に形成された弾性腕部１０４６が形成されており、筐体１０１、１０２の背面−底面側の内部に前記弾性腕部と摺動する乗り越え突起１０１２、１０２２が形成されている。ロックレバーの外部つまみ１０４２を操作して、ロックレバーを取付板の方向に押下げ／前面側に引き上げる場合に、前記弾性腕部が撓みながら乗り越え突起１０１２、１０２２を乗り越えることにより、ロックレバーの位置が択一的に決まり、位置が保持される。
【００４１】
このような構成であるため、ロックレバーを取付板の方向に押下げるときに、弾性腕部１０４６の端部が乗り越え突起１０１２、１０２２の頂点に達した後ははずみをつけて所定の固定位置に変位する。また、ロックレバー１０４を引き上げるときも弾性腕部１０４６の端部が乗り越え突起１０１２、１０２２の頂点に達した後ははずみをつけて所定の解除位置に変位する。
【００４２】
また、ロックレバーの係止部１０４１には、底面側が取付板に対して斜面となった台形状乗り越え突起１０４７が形成されている。回路遮断器を取付板２に載置しようとした場合に、例えばロックレバー１０４１が回路遮断器の底面から突出したままで回路遮断器を母線の方向にスライドさせていくと、前記斜面が取付板２に押し付けられる力がロックレバー１０４を前面側に押し上げる力に変換されてロックレバー１０４が前面側に押し上げられる。このとき、弾性腕部１０４６が前記乗り越え突起１０１２、１０２２を乗り越えてしまわない程度の位置関係になっていれば、回路遮断器１のスライドが進み、取付板２の凹部嵌合部にロックレバー１０４１が差し掛かったときには、前面側に押し上げられる力がなくなるとともに、弾性腕部１０４６が元の突出状態に戻ろうとする力が働き、ロックレバーの係止部１０４１は回路遮断器１の底面から突出し、外部つまみを押下げる必要なく、取り付けが完了する。
【００４３】
ロックレバー１０４の前面側の延出部１０４３には、該延出部の一部の肉が掘り込まれることにより摺動部が形成されている。該摺動部はガイドの役割を果たすものである。
【００４４】
前記摺動部は、筐体に設けられた筒状の支持部１０１２、１０２２により該支持部の内側を摺動自在に支持される。
【００４５】
次に、前記略棒状に形成されたロックレバー１０４とカバー２１２の位置関係について説明を行う。図１０にはロックレバー１０４が取付固定位置にあるときの状態を示している。このとき、ロックレバー１０４の前面側と分電盤のカバー２１２の背面側との隙間は僅かしかないように構成されている。
【００４６】
具体的には、ロックレバーの係止部１０４１が取付板２の凹部係止部２０６から解除されない程度に設けられている。換言すれば、前述したロックレバー１０４の弾性腕部１０４６が乗り越え突起１０１２、１０２２を超えない程度に設けられており、カバー２１２が閉じられた状態にあっては、ロックレバー１０４の解除は行われないように構成されている。
即ち、ロックレバー１０４の前面側と分電盤のカバー２１２の背面側との隙間は、ロックレバー１０４が取付解除位置と取付固定位置との間で摺動変位をする変位量よりも小さく設けられる。
【００４７】
ここで、ロックレバー１０４が取付解除位置にあるときの状態を図５に示している。この状態で、カバー２１２をボックス２１１に取付ける場合について説明を行う。図６（ａ）（ｂ），図７に示したようにカバー２１２を徐々に閉じていくと、カバー２１２の背面側がロックレバー１０４の前面側に近づいていき、遂にはカバー２１２の背面とロックレバー１０４の前面側が当接し、カバー２１２によってロックレバー１０４が押し下げられる。
【００４８】
カバー２１２を完全に閉じた状態においては、図１０，図８に示したように、ロックレバー１０４は取り付け固定位置に変位している。
【００４９】
このように、ロックレバー１０４が取付解除位置にある場合、カバー２１２を閉じる操作を行うことにより、ロックレバー１０４が取付固定位置に変位し、回路遮断器１が取付板２に確実に取付けされる。また、ロックレバー１０４の前面側と分電盤のカバー２１２の背面側との隙間は、ロックレバー１０４が取付解除位置と取付固定位置との間で摺動変位をする変位量よりも小さく設けられるから、カバー２１２を完全に閉じた状態においては、ロックレバー１０４の解除は行われない。
【００５０】
次に、取付板２への回路遮断器１の取付時においては、次のようなステップで取り付ける。
回路遮断器１を取付板２に載置して、母線側にスライドさせ、前記第一の規制部２０４、２０５と係合片１０８とが係合する（ステップ１）。この状態では、取付板に対して回路遮断器の取り付け位置は適正な位置になっている。
【００５１】
続いて、ロックレバー１０４１の外部つまみ１０４２を取付板の方向に押下げて、ロックレバー１０４１を底面から突出させる（ステップ２）。以上により、取付板に対する回路遮断器の取り付けが完了する。
【００５２】
取付板１に回路遮断器１を複数並設配置させていく場合に万が一、前記ステップ１のままで取付作業を終えてしまったものがある場合、出荷前の点検時や施工時の点検時に分電盤のカバーを空けて前面側からの目視確認を行うことにより、ロックレバー１０４が前面側に延出しているから適正に取り付けられていない回路遮断器があることを容易に気付くことができる。即ち、前記表示部１０４４が筐体の外部前面側に突出している場合には、ロックレバーが押下げられていないことを容易に気付くことができる。
【００５３】
この状態で、前記ステップ２を実施すべくロックレバーを押下げる場合には、延出部１０４３を押圧することにより、ロックレバー１０４に力を伝達することができ、ロックレバーを押下げることができる。特に、現場での配線作業を完了した後において、ステップ１のままで取付作業を終えてしまったものがある場合には、配線を掻き分けて、ロックレバー１０４の外部つまみ１０４２を押下げる必要がなく、安全性を担保できることに加えて施工時の利便性の向上が期待できる。
【００５４】
また、延出部１０４３は、正面側から背面側に掛けて細くなる略三角形状に形成されている。これは、負荷側の電線挿入孔１０５、１０６に電線を差し込む場合に、電線挿入孔に電線を導きやすくするものである。また、互いの電線挿入孔に差し込まれる電線同士を接触しにくくするための絶縁壁としての作用も持ち合わせたものである。
【００５５】
母線から回路遮断器を取り外す方向の解除がなされない限りは、回路遮断器１は取付板２に対して鉛直方向、側面方向の規制が解除されず、取付板２から回路遮断器１が母線から外れて、若しくは外れかけて、母線と端子の接触不良や端子部の異常発熱、停電の発生など、種々の電気的な不良が発生するおそれがない。
【００５６】
また、前記安全装置における表示部１０４４及び押圧部１０４５において、一部を折り曲げ形状とした第二の外部つまみ１０４９を形成して構成するとよい。これにより、回路遮断器１の前面側から、ロックレバー７を押し下げることに加え、引き上げる操作も行うことができ、回路遮断器１の取り付け、取り外し時の更なる利便性の向上が期待できる。
【符号の説明】
【００５７】
１  回路遮断器
１０１  筐体
１０２  筐体
１０１２  支持部
１０２２  支持部
１０４  ロックレバー
１０４１  ロックレバーの係止部
１０４２  外部つまみ
１０４３  延出部
１０４６  弾性腕部
１０４７  台形状乗り越え突起
１０５  電線挿入孔
１０６  電線挿入孔
１０７  凹部
１０８  係合部
２  取付板
２０１  母線
２０２  母線
２０３  母線
２０４  第一の規制部
２０５  第一の規制部
２０６  第二の規制部
２１  分電盤
２１１  カバー
２１２  ボックス
【図１】
0005800359.tif 000002
【図２】
0005800359.tif 000003
【図３】
0005800359.tif 000004
【図４】
0005800359.tif 000005
【図５】
0005800359.tif 000006
【図６】
0005800359.tif 000007
【図７】
0005800359.tif 000008
【図８】
0005800359.tif 000009
【図９】
0005800359.tif 000010